(57)【要約】【課題】レガート演奏時にその演奏音の連続性を確保し違和感のないレガート演奏音を発音可能とする電子楽器を提供すること。【解決手段】レガート検出部２０が複数の鍵盤を備える鍵盤部１０の内の或る鍵盤での押鍵操作によってレガート演奏を検出すると、アタック用の音源部３０が当該或る鍵盤に対応するレガートアタック波形格納部７６に格納されたレガートアタック波形を読み出し再生する。そして、レガートアタック波形格納部７６には、複数の鍵盤の夫々の鍵に対して、或る鍵盤とこの或る鍵盤より１つ音程の低い音を発音させるための鍵盤の操作によるレガート演奏音から当該或る鍵盤の操作によるレガート演奏音のアタック区間に対応する部分を抽出して格納してあるので、実際のレガート演奏音を用いてレガート演奏時にその演奏音の連続性が確保されることになる。【選択図】図１
2011013445.tif 000002
【特許請求の範囲】
【請求項１】
複数の入力部で成る演奏入力部の入力操作に基づいてレガート演奏がされたか否かを検出するレガート検出手段と、
少なくとも、前記複数の入力部の夫々に対して実際のレガート演奏によるレガートアタック波形を格納したレガートアタック波形格納部を有する波形メモリと、アタック用音源手段とを備え、
前記レガートアタック波形格納部は、
前記複数の入力部の夫々に対して、当該入力部とこれとは異なる入力部とを用いた入力操作によるレガート演奏音から、当該入力部の操作によるレガート演奏音のアタック区間に対応する部分を抽出して格納し、更に、
前記アタック用音源手段は、  
前記複数の入力部の内の或る入力部での入力操作によって前記レガート検出手段がレガート演奏を検出すると、当該或る入力部に対応する、前記レガートアタック波形格納部に格納されたレガートアタック波形を読み出し再生するように構成されたことを特徴とする電子楽器。
【請求項２】
請求項１に記載の電子楽器において、
前記演奏入力部は複数の鍵盤を備える鍵盤部であり、
前記レガートアタック波形格納部は、
前記複数の鍵盤の夫々に対して、当該鍵盤とこれと低音側に隣接する鍵盤とを用い、この低音側の鍵盤と当該鍵盤とをレガート演奏するよう押鍵操作を行って得たレガート演奏音から、当該鍵盤の操作によるレガート演奏音のアタック区間に対応する部分を抽出して格納したことを特徴とする電子楽器。
【請求項３】
請求項１および２の内のいずれか一項に記載の電子楽器において、
前記レガート検出手段は、
押鍵速度が所定の条件を満たした場合にレガート演奏が行われたと判定する判定手法、前音がノートオフする前に次音がノートオンした場合にレガート演奏がされたと判定する判定手法、および、前音がノートオフしてから次音がノートオンするまでの時間が所定時間以内である場合にレガート演奏がされたと判定する判定手法の内のいずれかの手法によって、レガート演奏が検出されたか否かを判定する手段であることを特徴とする電子楽器。  
【請求項４】
請求項１に記載の電子楽器において、
前記波形メモリは、前記複数の入力部の夫々に対して、実際の通常演奏によるサステイン波形を格納したサステイン波形格納部を更に有し、サステイン用音源手段を更に備え、
前記サステイン用音源手段は、
前記複数の入力部の内の或る入力部での入力操作によって前記レガート検出手段がレガート演奏を検出すると、当該或る入力部に対応する、前記サステイン波形格納部に格納されたサステイン波形を読み出し再生し、次いで、
前記アタック用音源手段が、当該或る入力部に対応する前記レガートアタック波形格納部に格納されたアタック波形を読み出し再生することを特徴とする電子楽器。
【請求項５】
請求項１に記載の電子楽器において、
前記波形メモリは、
前記レガートアタック波形格納部に代えて、複数の入力部の夫々に対して実際のレガート演奏のアタック波形およびこれに続くサステイン波形であるレガートアタックサステイン波形を格納するレガートアタックサステイン波形格納部を有し、
前記アタック用音源手段は、更に、
前記複数の入力部の内の或る入力部での入力操作によって前記レガート検出手段がレガート演奏を検出すると、当該或る入力部に対応する、前記レガートアタックサステイン波形格納部に格納されたレガートアタックサステイン波形を読み出し再生することを特徴とする電子楽器。
【請求項６】
請求項４に記載の電子楽器において、
前記波形メモリは、前記複数の入力部の夫々に対して実際の通常演奏による通常アタック波形を格納した通常アタック波形格納部を更に有し、
前記アタック用音源手段は更に、
前記複数の入力部の内の或る入力部での入力操作によっても前記レガート検出手段がレガート演奏を検出しないと、当該或る入力部に対応する、前記通常アタック波形格納部に格納された通常アタック波形を読み出し再生し、次いで、
前記サステイン用音源手段が、当該或る入力部に対応する前記サステイン波形格納部に格納されたサステイン波形を読み出し再生することを特徴とする電子楽器。
【発明の詳細な説明】
【技術分野】
【０００１】
本発明は、レガート演奏に応じた楽音発音が可能な電子楽器に関する。
【背景技術】
【０００２】
レガート（ｌｅｇａｔｏ）演奏とは、連続する２つの音を途切れさせずに滑らかに連続して演奏することを言い、楽譜では通常スラー（音符の上側又は下側に記載された円弧状の記号）で表記される。例えば、弦楽器にあっては、通常ひと弓、つまり、上方向、下方向の摩擦方向を変えずに演奏することであり、管楽器では通常、タンギングを行わずに演奏することである。そして、メモリに記憶しておいたＰＣＭ波形を用いてレガート演奏を実現するための装置が提案されていた。例えば、アタック部分を含んだ通常波形データの他に、アタック部分を含まないレガート専用波形データを波形メモリ及びエンベロープ波形メモリに夫々用意しておき、総ての鍵盤がオフの状態から少なくとも１つの鍵盤がオンされるまでの時間を測定し、この測定値が予め設定している時間値よりも小さい場合は波形メモリ及び／又はエンベロープ波形メモリからレガート演奏用のＰＣＭ波形を読み出して発音し、逆に大きい場合には、通常の波形を読み出し発音することによって、単音の演奏でも演奏のテンポに応じてレガート奏法を可能とする装置が提案されていた（例えば、特許文献１参照。）。また、別途の操作子を設けることなくノートオンとノートオフだけで全音域に渡ってレガート制御するしないを弾き分けることができ、更に和音演奏の場合にはアタックのある楽音を発音するため、前音と次音とが重なったとき、前音のノートオンと次音のノートオンの時間差が閾値以上であればレガート制御を行ったり、前音と次音とが重なったとき、次音の音高が前音の音高よりも高い（又は低い）場合にレガート制御を行ったりする楽音発生装置も提案されたいた（例えば、特許文献２参照。）。
【先行技術文献】
【特許文献】
【０００３】
【特許文献１】特開平７−５６５７１号公報（第３−６頁、第１図）
【特許文献２】特開２００５−１０４３８号公報（第４−７頁、第４図）
【発明の概要】
【発明が解決しようとする課題】
【０００４】
しかしながら、上述したような従来装置に用いられていたレガート波形は、実際にレガート演奏を行ったことにより得たＰＣＭ波形ではなく、同一音程の演奏音のアタック部を含まない部分をレガート用ＰＣＭ波形として用いていたため、レガート演奏で期待される音色とは異なる音色で発音されてしまい、その結果、演奏者にとっては違和感があるという問題があった。また、レガート演奏を実現するために音程の異なる２つの波形を連続的に発音させる必要があるところ、各音程に対して個別にレガート波形を記憶しておくだけであったため、レガート演奏時における波形の連続性が確保されず波形の不連続点が生じてしまい演奏者にとっては耳障りなクリック音が発生してしまうため、音程の遷移のタイミングで各波形の振幅エンベロープを制御する必要があった。さらに、連続的に発音されるようにクロスフェード処理を行うと微小な音程のずれにより一種のうなり（フェージング）が生じる場合があるという問題もあった。
【０００５】
本発明は、かかる従来の課題を解決するためになされたもので、レガート演奏時にその演奏音の連続性を確保し違和感のないレガート演奏音を発音可能とする電子楽器を提供することを目的とする。
【課題を解決するための手段】
【０００６】
上記目的を達成するために、本発明は、複数の入力部で成る演奏入力部（１０）の入力操作に基づいてレガート演奏がされたか否かを検出するレガート検出手段（２０）と、
少なくとも、前記複数の入力部の夫々に対して実際のレガート演奏によるレガートアタック波形を格納したレガートアタック波形格納部（７６）を有する波形メモリ（７０）と、アタック用音源手段（３０）とを備え、
前記レガートアタック波形格納部（７６）は、
前記複数の入力部の夫々に対して、当該入力部とこれとは異なる入力部とを用いた入力操作によるレガート演奏音から、当該入力部の操作によるレガート演奏音のアタック区間に対応する部分を抽出して格納し、更に、
前記アタック用音源手段（３０）は、
前記複数の入力部の内の或る入力部での入力操作によって前記レガート検出手段（２０）がレガート演奏を検出すると、当該或る入力部に対応する、前記レガートアタック波形格納部（７６）に格納されたレガートアタック波形を読み出し再生するように構成されたことを特徴とするようにした。そして、鍵盤楽器の場合、即ち、前記演奏入力部は複数の鍵盤を備える鍵盤部（１０）である場合には、前記レガートアタック波形格納部（７６）が、前記複数の鍵盤の夫々に対して、当該鍵盤（例えば「ド」の鍵盤）とこれと低音側に隣接する鍵盤（例えば「シ」の鍵盤）とを用い、この低音側の鍵盤（「シ」の鍵盤）と当該鍵盤（「ド」の鍵盤）とをレガート演奏するよう押鍵操作を行って得たレガート演奏音から、当該鍵盤の操作によるレガート演奏音のアタック区間に対応する部分を抽出して格納した構成とすれば良い。また、前記レガート検出手段（２０）は、押鍵速度が所定の条件を満たした場合にレガート演奏が行われたと判定する判定手法、前音がノートオフする前に次音がノートオンした場合（前音と次音とが重なった場合）にレガート演奏がされたと判定する判定手法、および、前音がノートオフしてから次音がノートオンするまでの時間が所定時間以内である場合にレガート演奏がされたと判定する判定手法の内のいずれかの手法によって、レガート演奏がされたか否かを判定する手段とすることができる
【０００７】
この発明においては、アタック用音源手段（３０）は、レガート検出手段（２０）が複数の入力部の内の或る入力部での入力操作によってレガート演奏を検出すると、当該或る入力部に対応する、レガートアタック波形格納部（７６）に格納されたレガートアタック波形を読み出し再生する。そして、レガートアタック波形格納部（７６）には、前記複数の入力部の夫々に対して、当該入力部とこれとは異なる入力部とを用いた入力操作によるレガート演奏音から、当該入力部の操作によるレガート演奏音のアタック区間に対応する部分を抽出して格納してあるので、実際のレガート演奏音を用いてレガート演奏時にその演奏音の連続性が確保されることになる。
【０００８】
また、上記電子楽器において、前記波形メモリ（７０）が、前記複数の入力部の夫々に対して実際の通常演奏によるサステイン波形を格納したサステイン波形格納部（７４）を更に有し、サステイン用音源手段（３５）を更に備えた構成とし、前記サステイン用音源手段（３５）が、前記複数の入力部の内の或る入力部での入力操作によって前記レガート検出手段（２０）がレガート演奏を検出すると、当該或る入力部に対応する、前記サステイン波形格納部（７４）に格納されたサステイン波形を読み出し再生しておいて、次いで、前記アタック用音源手段（３０）が、当該或る入力部に対応する前記レガートアタック波形格納部（７６）に格納されたアタック波形を読み出し再生する構成とすることもできる。更に、上記の電子楽器において、前記波形メモリ（７０）が、前記レガートアタック波形格納部（７６）に代えて、前記複数の入力部の夫々に対して実際のレガート演奏のアタック波形およびこれに続くサステイン波形であるレガートアタックサステイン波形を格納するレガートアタックサステイン波形格納部（７８）を有し、前記アタック用音源手段（３０）は更に、前記複数の入力部の内の或る入力部での入力操作によって前記レガート検出手段（２０）がレガート演奏を検出すると、当該或る入力部に対応する、前記レガートアタックサステイン波形格納部（７８）に格納されたレガートアタックサステイン波形を読み出し再生する電子楽器とすることもできる。そして、前記波形メモリ（７０）が、前記複数の入力部の夫々に対して実際の通常演奏による通常アタック波形を格納した通常アタック波形格納部（７２）を更に有し、前記アタック用音源手段（３０）が更に、前記複数の入力部の内の或る入力部での入力操作によっても前記レガート検出手段（２０）がレガート演奏を検出しないと、当該或る入力部に対応する、前記通常アタック波形格納部（７２）に格納された通常アタック波形を読み出し再生し、次いで、前記サステイン用音源手段（３５）が、当該或る入力部に対応する、前記サステイン波形格納部（７４）に格納されたサステイン波形を読み出し再生する電子楽器、即ち、通常演奏に対する発音動作も可能な電子楽器も提供される。
【発明の効果】
【０００９】
本発明によれば、レガート演奏時にその演奏音の連続性を確保し違和感のないレガート演奏音を発音可能とする電子楽器を実現することができるという効果が得られる。
【図面の簡単な説明】
【００１０】
【図１】電子楽器の構成図である。
【図２】通常演奏波形とレガート演奏波形の模式的な説明図である。
【図３】レガート演奏検出法の一例の説明図である。
【図４】レガートアタック波形格納部７６の格納内容の説明図である。
【図５】ＰＣＭ波形メモリの他の実施形態の説明図である。
【発明を実施するための形態】
【００１１】
以下、本発明を実施の形態について図面を参照しつつ説明する。以下の説明では複数の鍵盤を備える鍵盤楽器を例にとり説明するが、楽器は鍵盤楽器に限られなく例えばトロンボーンのような管楽器等でも良い。
【００１２】
（構成）  
図１は本発明の実施形態の電子楽器１の構成図である。この電子楽器１は、複数（例えば８８個）の鍵盤を備える鍵盤部１０と、レガート演奏がされたか否かを判定するレガート検出部２０と、アタック用の音源である音源部３０と、サステイン用音源である音源部３５と、音源部３０からの楽音信号と音源部３５からの楽音信号とを混合するミキサー４０と、ミキサー４０の出力をデジタルアナログ変換するＤ／Ａ変換器５０と、このデジタルアナログ変換された楽音信号を放音するスピーカ６０と、ＰＣＭ方式で各種の波形が記録されたＰＣＭ波形メモリ７０とを備えている。レガート検出部２０は、レガート演奏の検出結果、即ち、レガート演奏を検出したか、又は、検出しないかを押鍵毎に音源部３０および音源部３５に通知するように構成されている。そして、レガート検出部２０は、前音（或る鍵盤の押鍵による発音）がノートオフ（発音停止）する前に次音（この或る鍵盤の押鍵の次の押鍵による発音）がノートオン（発音開始）した場合にレガート演奏が検出されたと判定するが、前音のノートオフから短い所定時間内（例えば２０（ｍｓｅｃ）以内）に次音がノートオンされた場合にレガート演奏が行われたと判定するようにしても良い。なお、押鍵速度が所定の条件を満たした場合にレガート演奏を検出したと判定しても良い。図３はこの模式的説明図である。ＭＩＤＩ規格での押鍵速度は最小値「１」から最大値「１２７」までであり標準速度が「６４」とされている。図３の例ではこの押鍵速度が「Ａ」から「Ｂ」までの場合にレガート演奏がされたと判定する場合を説明している（斜線参照）。もちろん、図３は一例であり、例えば押鍵速度「１」から或る値までの押鍵速度範囲をレガート演奏がされたとする押鍵速度範囲に設定することもできる。なお、このようにしてレガート演奏を検出する場合には、例えば、鍵盤部１０に不図示の押鍵速度検出部を設け、この押鍵速度検出部が検出した押鍵速度をレガート検出部２０に送信する構成とすれば良い。
【００１３】
図１のＰＣＭ波形メモリ７０は、複数の鍵盤（入力部）の夫々に対して実際の通常演奏による通常アタック波形を格納した通常アタック波形格納部７２と、複数の鍵盤（入力部）の夫々に対して実際の通常演奏によるサステイン波形を格納したサステイン波形格納部７４と、複数の鍵盤（入力部）の夫々に対して実際のレガート演奏によるレガートアタック波形を格納したレガートアタック波形格納部７６とを有している。
【００１４】
図２（ａ）は通常演奏波形の一般的な波形の説明図である。図２（ａ）に示す通常演奏波形は、急峻な立ち上がり部を有するアタック区間と、波形が立下って平坦となっているサステイン区間と、離鍵操作に対応するリリース部とを有している。そして、通常アタック波形格納部７２には、複数の鍵盤のそれぞれに対してその鍵を実際に押鍵操作した時の波形のアタック区間に相当するものが格納されている。また、サステイン波形格納部７４には、複数の鍵盤のそれぞれに対してその鍵を実際に押鍵操作した時の波形のサステイン区間に相当するものが格納されている。したがって、通常アタック波形格納部７２およびサステイン波形格納部７４には、鍵盤数だけの種類の波形がＰＣＭ方式で記録されている。
【００１５】
一方、図２（ｂ）はレガート演奏波形の一般的な波形の説明図である。レガート演奏波形は通常演奏波形に比べて、そのアタック部の立ち上がりが弱めになっていて、アタック区間に続けてサステイン区間が続いている。レガートアタック波形格納部７６には、複数の鍵盤のそれぞれに対してその鍵を実際にレガート押鍵操作した時の波形のアタック区間に相当するものが格納されている。そして、このレガートアタック波形格納部７６は、複数の鍵盤の夫々の鍵盤に対して、当該鍵盤とこの当該鍵盤より１つ音程の低い音を発音させるための鍵盤の操作による実際のレガート演奏音から、当該鍵盤の操作によるレガート演奏音に対応する部分を抽出して格納している。図４（ａ）、（ｂ）はこの一例の模式的説明図である。図４（ａ）は音程「ド」に対する（即ち、「ド」の鍵盤に対する）レガートアタック波形の説明図である。この場合には「シ」〜「ド」と発音されるように押鍵操作を行い、その時の「ド」の波形の立ち上がり部分（振幅変化が所定値以上で大きな部分）をアタック区間として抽出して、「ド」に対する（即ち「ド」の鍵盤に対する）レガートアタック波形としている。このアタック区間は、例えば、前音と次音との連続部分における、振幅変化が所定値以上の部分である。
【００１６】
同様に、図４（ｂ）は音程「レ」に対する（即ち、「レ」の鍵盤に対する）レガートアタック波形の説明図である。この場合には「ド」〜「レ」と発音されるように押鍵操作を行い、その時の「レ」の波形の立ち上がり部分を抽出して、「レ」に対する（即ち「レ」の鍵盤に対する）レガートアタック波形としている。このような処理を総ての鍵盤に対して行ってＰＣＭ波形を生成して、レガートアタック波形格納部７６に格納している。かくして、鍵盤数の種類のレガートアタック波形がＰＣＭ方式でレガートアタック波形格納部７６に記録されている。なお、サステイン区間は、例えば所定時間、波形変化が所定範囲内に収まっている部分であるとすることができる。
【００１７】
（動作）
複数の鍵盤の内の或る鍵盤での押鍵操作によってもレガート検出部２０がレガート演奏を検出しないと、アタック用の音源部３０は当該或る鍵盤に対応する通常アタック波形格納部７２に格納された通常アタック波形を読み出し再生し、次いで、サステイン用の音源部３５が当該或る鍵盤に対応するサステイン波形格納部７４に格納されたサステイン波形を読み出し再生することになる。
【００１８】
一方、複数の鍵盤の内の或る鍵盤での押鍵操作によってレガート検出部２０がレガート演奏を検出すると、アタック用の音源部３０が当該或る鍵盤に対応するレガートアタック波形格納部７６に格納されたレガートアタック波形を読み出し再生する。また、複数の鍵盤の内の或る鍵盤での押鍵操作によってレガート検出部２０がレガート演奏を検出すると、サステイン用の音源部３５が当該或る鍵盤に対応するサステイン波形格納部７４に格納されたサステイン波形を読み出し再生しておいて、次いで、アタック用の音源部３０が当該或る鍵盤に対応するレガートアタック波形格納部７６に格納されたアタック波形を読み出し再生するようにしても良い。
【００１９】
このようにして、レガート検出部２０が複数の鍵盤を備える鍵盤部１０の内の或る鍵盤での押鍵操作によってレガート演奏を検出すると、アタック用の音源部３０が当該或る鍵盤に対応するレガートアタック波形格納部７６に格納されたレガートアタック波形を読み出し再生する。そして、レガートアタック波形格納部７６には、複数の鍵盤の夫々の鍵盤に対して、当該鍵盤とこの鍵盤より１つ音程の低い音を発音させるための鍵盤との押鍵操作による実際のレガート演奏音から当該鍵盤の操作によるレガート演奏音のアタック区間に対応する部分を抽出して格納してあるので、レガート演奏時にその演奏音の連続性が確保され違和感の無いレガート演奏音が放音されることになる。
【００２０】
（他の実施形態）
図５は、図１のＰＣＭ波形メモリ７０の他の構成例の構成図である。このＰＣＭ波形メモリ７１において、通常アタック波形格納部７２およびサステイン波形格納部７４は図１のＰＣＭ波形メモリ７０と変わる所はないが、このＰＣＭ波形メモリ７１は、図１のレガートアタック波形格納部７６に代えて、レガートアタックサステイン波形格納部７８を有する構成としている点に特徴がある。このレガートアタックサステイン波形格納部７８は、複数の鍵盤の夫々に対して実際のレガート演奏のアタック波形およびこれに続く実際のレガート演奏のサステイン波形であるレガートアタックサステイン波形を格納している。なお、このレガートアタックサステイン波形は、例えば、図４で示したように、或る鍵盤とこれより一音程低音側の隣接する鍵盤とを用い、この低音側の鍵盤と前記或る該鍵盤とをレガート演奏するように押鍵操作を行って得たレガート演奏音から、当該鍵盤の操作によるレガート演奏音のアタック区間およびサステイン区間の両区間を抽出して生成しておき、レガートアタックサステイン波形格納部７８にＰＣＭ方式で記録しておくことにより実現できる。そして、鍵盤数の種類のレガートアタックサステイン波形がＰＣＭ方式でレガートアタックサステイン波形格納部７８に記録されている。
【００２１】
そして、レガート検出部２０が、複数の鍵盤の内の或る鍵盤での押鍵操作によってレガート演奏を検出すると、音源部３０が当該或る鍵盤に対応するレガートアタックサステイン波形格納部７８に格納されたレガートアタックサステイン波形を読み出し再生する。したがって、この場合には音源部３０は、サステイン部を有するレガート波形をも発音対象とする機能を有する。そして、この結果、より演奏音の連続性が確保され演奏違和感が一層解消されたレガート演奏発音が可能になる。
【００２２】
なお、以上の実施形態の説明においては鍵盤部を備えた電子楽器について説明してきたが、他の電子楽器、例えば電子ドラム、電子弦楽器等にも適用可能である。また、本実施形態では鍵盤を演奏入力部として説明したが、レガート検出部２０が、ＭＩＤＩ規格の入力部を介してＭＩＤＩ入力を受け付けてレガート演奏がされたか否かを判定する構成としても良い。
【産業上の利用可能性】
【００２３】
以上説明してきたように、鍵盤楽器等の各種の電子楽器に利用することができる。
【符号の説明】
【００２４】
１０  鍵盤部
２０  レガート検出部
３０  音源部
３５  音源部
４０  ミキサー
５０  Ｄ／Ａ変換器
６０  スピーカ
７０  ＰＣＭ波形メモリ
７２  通常アタック波形格納部
７４  サステイン波形格納部
７６  レガートアタック波形格納部
【図１】
2011013445.tif 000003
【図２】
2011013445.tif 000004
【図３】
2011013445.tif 000005
【図４】
2011013445.tif 000006
【図５】
2011013445.tif 000007